(57)【要約】【課題】端子金具を正規姿勢で挿入できるようにする。【解決手段】雄ハウジング１５の後部にはゴム栓３０が配され、この後面には規制部４１が設けられたゴム栓押さえ３６が装着されている。ホルダ４５は仮係止位置と本係止位置とで保持可能であり、仮係止位置にある時に雄端子金具１０を端子挿入孔５１に嵌入させることで雄端子金具１０の姿勢を正規姿勢に矯正可能である。端子挿入孔５１には、抜け止め片５２が設けられ撓み空間５５内に撓み可能である。ホルダ４５が仮係止位置にあるときには、雄端子金具１０が抜け止め片５２を撓み空間５５に撓ませる事でキャビティ１８まで挿入可能となり、ホルダ４５が本係止位置にあるときには規制部４１が撓み空間５５に入りこんで抜け止め片５２の撓み変形を規制することで雄端子金具１０の抜け止めが可能となる。【選択図】　図１４
2004047331.tif 000002
【特許請求の範囲】
【請求項１】
本体部の後部に電線が装着され前記本体部の前方へ延出したタブ部を備えた雄端子金具と、
前記雄端子金具を収容可能な複数のキャビティを備えたコネクタハウジングと、
前記コネクタハウジングの後部に配され、前記キャビティと対応する位置に前記電線を密着して挿入可能な複数個の電線挿通孔を有するゴム栓と、
前記コネクタハウジングの後部で且つ前記ゴム栓の後方に取り付けられ、前記雄端子金具を挿入可能であると共に前記本体部を嵌入した状態で前記雄端子金具の姿勢を矯正可能な端子挿入孔が前記電線挿通孔と同軸上に対応して設けられたホルダとからなる防水コネクタであって、
前記ホルダは、前記ゴム栓の後面から後方へ離間した仮係止位置と、前記仮係止位置から前方へ押し込まれた本係止位置との間を移動可能に保持され、前記仮係止位置では、前記雄端子金具の姿勢を矯正した状態でもって前記タブ部の先端を前記ゴム栓の後面に至らしめることができるようになっており、
前記ホルダには、前記仮係止位置では前記雄端子金具の挿抜を許容し、前記本係止位置では前記端子金具と係止可能な抜け止め片が撓み可能に設けられていることを特徴とする防水コネクタ。
【請求項２】
前記ホルダには、同ホルダが前記仮係止位置に保持された状態で前記雄端子金具が挿入された際に、前記抜け止め片が撓み可能な撓み空間が前記ホルダの前面に向けて開口して設けられ、
一方、前記ゴム栓側における前記ホルダの前面と対向する面には規制部が設けられており、この規制部は前記ホルダが本係止位置に保持された状態で前記撓み空間に入り込み前記抜け止め片の撓み変形を規制することを特徴とする請求項１に記載の防水コネクタ。
【請求項３】
前記雄端子金具を遊挿可能な貫通孔を備えたゴム栓押さえが前記ゴム栓の後面に配置され、且つこのゴム栓押さえは前記ホルダとは別体をなすとともに前記コネクタハウジングと係止し合うことで前記ゴム栓の後方へのずれを規制可能となっており、
前記規制部はこのゴム栓押さえの後面に設けられていることを特徴とする請求項２に記載の防水コネクタ。
【請求項４】
前記抜け止め片は、複数個が相互に並んで形成されており、前記撓み空間は、前記各抜け止め片に対応する各撓み空間をそれぞれ連続させるような溝状に形成されており、
一方、前記ゴム栓押さえは平板状に形成され、且つ前記規制部は溝状の前記撓み空間に沿って嵌め合わされることが可能な突条となっていることを特徴とする請求項３に記載の防水コネクタ。
【発明の詳細な説明】
【０００１】
【発明の属する技術分野】
本発明は、防水コネクタに関する。
【０００２】
【従来の技術】
従来この種の防水コネクタとして、図１５に示すものが知られている。このものは雄側の防水コネクタであって、複数のキャビティ２が形成された雄ハウジング１の後面に、全キャビティ２を覆える大きさを有して各キャビティ２と対応する位置ごとに電線挿通孔４を設けた一括型のゴム栓３が配され、このゴム栓３が、電線挿通孔４と対応する位置ごとに端子挿入口６が開口されたゴム栓ホルダ５で押さえられた構造となっている。そして、電線Ｗの端末に固着された雄側端子金具７がゴム栓ホルダ５の対応する端子挿入口６から挿入され、電線挿通孔４を弾性的に押し広げつつゴム栓３を貫通してキャビティ２内に差し込まれ、雄側端子金具７が通過したのち電線挿通孔４の内面を電線Ｗの外周に密着させることでシールを取るようになっている。なお、このような防水コネクタは、特開平６−２０３９０２号等に記載されている。
【０００３】
【発明が解決しようとする課題】
しかるに従来のものでは、図１５の上段に示すように、雄側端子金具７が斜め姿勢で差し込まれると、先端のタブ８がゴム栓３の電線挿通孔４の内面に突き当たり、タブ８を変形させたり、ゴム栓３に傷を付けてしまうおそれがあった。
【０００４】
これを避けるには、ゴム栓ホルダ５の厚みを大きくして端子挿入口６の全長を長くし、雄側端子金具７が斜めに挿入されたとしても、長い端子挿入口６を通過する間に真直姿勢に向けて矯正することが考えられるが、ゴム栓ホルダ５が厚肉とされる分、コネクタの奥行寸法が大きくなってしまうという問題があった。なおこのような問題は、雌側の防水コネクタでも同様に生ずるところである。
【０００５】
本発明は上記のような事情に基づいて完成されたものであって、その目的は、コネクタの大型化を招くことなく端子金具を正規姿勢で挿入できるようにするところにある。
【０００６】
【課題を解決するための手段】
上記の目的を達成するための手段として、請求項１の発明は、本体部の後部に電線が装着され前記本体部の前方へ延出したタブ部を備えた雄端子金具と、前記雄端子金具を収容可能な複数のキャビティを備えたコネクタハウジングと、前記コネクタハウジングの後部に配され、前記キャビティと対応する位置に前記電線を密着して挿入可能な複数個の電線挿通孔を有するゴム栓と、前記コネクタハウジングの後部で且つ前記ゴム栓の後方に取り付けられ、前記雄端子金具を挿入可能であると共に前記本体部を嵌入した状態で前記雄端子金具の姿勢を矯正可能な端子挿入孔が前記電線挿通孔と同軸上に対応して設けられたホルダとからなる防水コネクタであって、前記ホルダは、前記ゴム栓の後面から後方へ離間した仮係止位置と、前記仮係止位置から前方へ押し込まれた本係止位置との間を移動可能に保持され、前記仮係止位置では、前記雄端子金具の姿勢を矯正した状態でもって前記タブ部の先端を前記ゴム栓の後面に至らしめることができるようになっており、前記ホルダには、前記仮係止位置では前記雄端子金具の挿抜を許容し、前記本係止位置では前記端子金具と係止可能な抜け止め片が撓み可能に設けられている構成としたところに特徴を有する。
【０００７】
請求項２の発明は、請求項１に記載のものにおいて、前記ホルダには、同ホルダが前記仮係止位置に保持された状態で前記雄端子金具が挿入された際に、前記抜け止め片が撓み可能な撓み空間が前記ホルダの前面に向けて開口して設けられ、一方、前記ゴム栓側における前記ホルダの前面と対向する面には規制部が設けられており、この規制部は前記ホルダが本係止位置に保持された状態で前記撓み空間に入り込み前記抜け止め片の撓み変形を規制するところに特徴を有する。
【０００８】
請求項３の発明は、請求項２に記載のものにおいて、前記雄端子金具を遊挿可能な貫通孔を備えたゴム栓押さえが前記ゴム栓の後面に配置され、且つこのゴム栓押さえは前記ホルダとは別体をなすとともに前記コネクタハウジングと係止し合うことで前記ゴム栓の後方へのずれを規制可能となっており、前記規制部はこのゴム栓押さえの後面に設けられているところに特徴を有する。
【０００９】
請求項４の発明は、請求項３に記載のものにおいて、前記抜け止め片は、複数個が相互に並んで形成されており、前記撓み空間は、前記各抜け止め片に対応する各撓み空間をそれぞれ連続させるような溝状に形成されており、一方、前記ゴム栓押さえは平板状に形成され、且つ前記規制部は溝状の前記撓み空間に沿って嵌め合わされることが可能な突条となっているところに特徴を有する。
【００１０】
【発明の作用及び効果】
＜請求項１の発明＞
ホルダが仮係止位置に保持された状態で雄端子金具を端子挿入孔に挿入すると、本体部が端子挿入孔に嵌入されることでガイドされ、タブ部の先端がゴム栓に到達する前に雄端子金具の姿勢が矯正されるため、タブ部の先端がゴム栓に突き当たってゴム栓を傷付けるような事態を防止できる。
雄端子金具挿入後には、ホルダは前方の本係止位置に押しこまれて保持されるため、コネクタハウジングの奥行き寸法を小さくすることが出来る。
【００１１】
また、メンテナンス時や、雄端子金具をキャビティに挿入してホルダを本係止位置に保持させた後で雄端子金具の挿入間違いに気付いたような場合においては、雄端子金具を一旦抜き、再度挿入しなおす作業が行われることがある。この場合、仮に、ホルダが本係止位置に保持された状態のまま雄端子金具を抜くことが出来るような構造であると、雄端子金具を抜く際にゴム栓を傷付ける虞がある。つまり、本係止位置に保持されたホルダは、ゴム栓の後面側に押し込まれた位置にあるため、タブ部の先端がゴム栓の電線挿通孔から抜けきらないうちに雄端子金具の後端側が端子挿入孔から抜けてしまうことで、雄端子金具のガイドがなくなり、雄端子金具が斜め姿勢になってタブ部がゴム栓に突き当たる虞がある。しかし、請求項１の発明によれば、ホルダが本係止位置にある状態で雄端子金具を引き抜こうとしても、抜け止め片に雄端子金具が引っ掛かるため抜くことが出来ない。よって、ホルダを仮係止位置に移動させない限り雄端子金具を抜き取ることができないため、端子金具の抜き取り時にゴム栓を傷つけることが回避される。
【００１２】
＜請求項２の発明＞
ホルダが仮係止位置に保持された状態で雄端子金具が端子挿入孔に挿入された際には、抜け止め片が撓み空間内に撓むことで雄端子金具の挿入が可能となる。また、ホルダが本係止位置に移動すると、規制部が撓み空間内に入り込むことで抜け止め片の撓み変形が規制される。よって、ホルダが本係止位置にある状態で雄端子金具を引き抜こうとしても、抜け止め片が撓み変形を規制するため、雄端子金具の抜け止めをより確実に行える。
【００１３】
＜請求項３の発明＞
ホルダが仮係止位置にある状態では、雄端子金具の抜き取り時に雄端子金具と共にゴム栓が後方へずれてしまう虞があるが、請求項３の発明によれば、コネクタハウジングに係止したゴム栓押さえがゴム栓の後面に配置されているため、ゴム栓はゴム栓押さえにより押さえられ後方へずれることがない。
また、ゴム栓押さえの後面に規制部を設けることで、ゴム栓押さえにゴム栓を押さえる機能に加えて、抜け止め片の撓み変形を規制するという機能を付加することが出来る。
【００１４】
＜請求項４の発明＞
ゴム栓押さえが平板状に形成されているため、ゴム栓押さえの装着スペースを小さくでき、コネクタハウジングの小型化に有効である。しかし、ゴム栓押さえを平板状に形成すると強度不足が懸念されるが、請求項４の発明によれば、規制部が溝状の撓み空間に沿って嵌合可能な突条となっていることで、規制部によりゴム栓押さえの補強も可能となる。
【００１５】
【発明の実施の形態】
以下、本発明の実施形態を図１ないし図１４に基づいて説明する。これらの図に示す防水コネクタは、雄ハウジング１５（コネクタハウジング）、雄端子金具１０、一括型のゴム栓３０、ゴム栓押さえ３６、ホルダ４５とからなっている。なお、以下では図１における右側を前方として説明する。
【００１６】
雄端子金具１０は、角筒状の本体部１１と、本体部１１の前端から細長く延出されたタブ部１２と、本体部１１の後端に設けられ電線１４をかしめて圧着するバレル部１３とからなっている。
【００１７】
雄ハウジング１５は、合成樹脂によりブロック状に形成されている。端子収容部１７の前面側には前方に向けて開口したフード部１６が相手側の雌ハウジング（図示せず）を嵌合可能に形成されており、端子収容部１７の後面側には前記したゴム栓３０、ゴム栓押さえ３６、ホルダ４５を収容可能な装着筒部２０が後方に向けて開口して設けられている。
【００１８】
端子収容部１７には、雄端子金具１０を収容可能な複数個のキャビティ１８が前後に貫通して設けられている。各キャビティ１８の天井壁には弾性的に撓み可能なランス１９が形成され、雄端子金具１０の本体部１１に引っ掛かることで雄端子金具１０を抜け止め可能としている。図２に示すように、これらのキャビティ１８は、左右及び中央の３ブロックに分かれて形成されており、左右のブロックには幅方向に４個ずつ並列したキャビティ１８が上下に３段、中央のブロックには３個ずつ並列したキャビティが３段配されている。また、この各ブロック間には、後述するガイド孔２２が一対設けられ、かつ各ガイド孔２２を上下に挟む位置には凸部２１が各ブロック間に２個ずつ、端子収容部１７の後面（装着筒部２０の奥面）から後方へ向けて突設されている。なお、図示はしないが、端子収容部１７の前方には、フロントリテーナが装着され、ランス１９の撓み空間に進入してランス１９の撓みを規制することが出来る。
【００１９】
装着筒部２０の奥面には、図１，図３に示す一括型のゴム栓３０が密着して配され、全キャビティ１８を覆うことが可能となっている。ゴム栓３０の外周面には、全周に亘り３条のリップ片３４が設けられ、装着筒部２０の内面と密着可能となっている。ゴム栓３０には、前後に貫通した電線挿通孔３１が各キャビティ１８と対応する位置に設けられている。これらの各電線挿通孔３１の内周面にも、全周に亘り３条のリップ片３５が設けられ、電線１４の外周面と密着可能となっている。また、ゴム栓３０には前記した凸部２１と対応する位置に計４個の位置決め孔３３が貫通形成され、凸部２１と嵌まり合うことで位置決めされるようになっている（図１，図２及び図１１参照）。
【００２０】
ゴム栓３０の後面には、ゴム栓押さえ３６が密着して配置されゴム栓３０を抜け止めしている。ゴム栓押さえ３６は平板状に形成され、ゴム栓３０とほぼ同じ大きさで装着筒部２０内に嵌合可能となっている。図４に示すように、ゴム栓押さえ３６には雄端子金具１０を遊挿可能な貫通孔３７Ａ，３７Ｂが設けられている。これらの貫通孔３７Ａ，３７Ｂは、前記したキャビティ１８に対して各ブロックの各段毎に対応したものとなっているが、左右のブロックに対しては両端に位置するキャビティ１８にのみ個別に対応して形成された貫通孔３７Ｂと、各段毎に３つずつのキャビティ１８を一括して対応する貫通孔３７Ａとが形成されている。
【００２１】
図１，図４，図５のように、ゴム栓押さえ３６の後面には、規制部４１が突設されている。規制部４１は、ゴム栓押さえ３６のほぼ全幅方向に亘って水平に延出された形態で、上下方向に３段設けられている。最上段のものはゴム栓押さえ３６の上端縁に沿って形成され、他段は各貫通孔３７Ａ，３７Ｂの間にそれぞれ１段ずつ設けられている。この規制部４１は、後述するホルダ４５の撓み空間５５に挿入可能であると共に、ゴム栓押さえ３６の補強の役目も果たしている。なお、この実施形態では、ゴム栓押さえ３６の更なる補強を図るために、ゴム栓押さえ３６の上下方向に延びるリブ３９，４０も設けている。即ち、中央ブロックの貫通孔３７の両側で、上段から中段の規制部４１まで垂直に延びたリブ３９が２本、同様に中段の規制部４１からゴム栓押さえ３６の下端まで延びたリブ４０が２本形成されている。
【００２２】
ゴム栓押さえ３６の上端縁で且つ幅方向における一方側（図４に示す右側）寄りの位置には、前止まり部４４が上方へ向けて突設されている。一方、装着筒部２０の天井壁には、前止まり部４４を挿入可能な溝部２３が装着筒部２０の後端縁から装着筒部２０の奥面とほぼ同位置まで凹設されている（図１，２参照）。また、この溝部２３の奥面からは受け部２４がゴム栓３０の後面とほぼ同じ位置まで突設されており、この受け部２４の下面とゴム栓３０の外周面とは密着可能となっている。ゴム栓押さえ３６を装着筒部２０に収容する際には、前止まり部４４を溝部２３に適合させつつ前方へ押し入れ、ゴム栓押さえ３６の前面がゴム栓３０の後面まで押し込まれると、前止まり部４４が受け部２４の後端縁に当接するため必要以上に前方へ挿入されないようになっている。
【００２３】
図４及び図５に示すように、前記した規制部４１のうち、中段と下段の規制部４１の幅方向両端縁には、係止突部４２がそれぞれ側方へ突出して設けられている。係止突部４２の前端面は側方へテーパ状に広がって形成され、後端面は係止面４３となっている。一方、図１及び図９のように、装着筒部２０の両側壁には、各係止突部４２と対応する位置に上下２個ずつの係止受け部２５が貫通して設けられ、係止突部４２と係止可能となっている。また、装着筒部２０の両側壁の内面側には、各係止受け部２５と同じ高さ位置にスライド溝２６が形成されている。スライド溝２６は、装着筒部２０の後端縁から係止受け部２５の若干手前の位置まで水平に、且つゴム栓押さえ３６の係止突部４２を受け入れ可能な深さで凹設され、この前端面は内方へ向けてテーパ状に傾斜している。したがって、ゴム栓押さえ３６は、係止突部４２がスライド溝２６に嵌め合わされつつ前方へ押し込まれ、ゴム栓押さえ３６が僅かに湾曲しつつ係止突部４２がスライド溝２６の前端面を乗り越えて係止受け部２５に嵌まり込むと、係止面４３が係止受け部２５の後側開口縁と係止することで装着筒部２０内に抜け止め状態で保持されるようになっている。
【００２４】
ゴム栓押さえ３６の後面には、上記したホルダ４５が装着される。ホルダ４５は、図６のように、基部４６と、挿入ガイド５０と、係止アーム４８とからなり、装着筒部２０に対して後述する仮係止位置と本係止位置との２段階で保持されるようになっている。
【００２５】
まず基部４６は、ゴム栓押さえ３６とほぼ同じ大きさで装着筒部２０内に嵌合可能に形成され、雄端子金具１０を挿入可能な端子挿入孔５１が、前記した各キャビティ１８と対応する位置に複数個、前後に貫通形成され、キャビティ１８と同様に中央及び左右の３つのブロックに分かれている。この端子挿入孔５１は、方形状に形成され雄端子金具１０の本体部１１をがたつきなく挿入可能となっている。
【００２６】
基部４６の前面で上記した端子挿入孔５１の各ブロック間で、且つ前記したガイド孔２２と対応する位置には、一対の挿入ガイド５０が前方へ長く延出されている。一方、図１１に示すように、ゴム栓３０、ゴム栓押さえ３６にも、ガイド孔２２と対応する位置にガイド孔３２，３８がそれぞれ貫通形成され、ホルダ４５が装着筒部２０に装着される際に挿入ガイド５０がこれらのガイド孔３８，３２，２２に順に嵌入されていくことでホルダ４５挿入時の案内が可能となっている。
【００２７】
図６ないし図８に示すように、基部４６の両側壁には上下に一対の補強部４７が設けられ、この補強部４７の前面からはＵ字型の切り欠き部４９が形成された係止アーム４８が板状に延出されている。
【００２８】
これに対して装着筒部２０の両側壁の外面には、図８及び図１２に示すように、この係止アーム４８を嵌め込んで摺動させつつ前後方向に案内するガイド溝２７が凹設されている。ガイド溝２７の上下方向におけるほぼ中央部分には、前記した切り欠き部４９と係止可能な仮係止突起２８と本係止突起２９とが前後方向に並んで突設され、本係止突起２９においては、上下方向に形成されている２箇所の係止受け部２５間に設けられている。また、切り欠き部４９の前端縁はＬ字型に形成されており、これらの係止突起２８，２９も切り欠き部４９と適合するように共にＬ字型をなして形成されることで、ホルダ４５の傾動が規制され、具体的には、ホルダ４５が仮係止位置にある状態においてホルダ４５の後面が鉛直状態となるように保障して雄端子金具１０を真直姿勢に矯正しやすくしている。
【００２９】
また、係止アーム４８の前端縁のうちこれらの係止突起２８，２９と当たり合う部分と、仮係止突起２８の後端縁には、係止アーム４８が外方へ撓み円滑に仮係止突起２８を乗り越えることができるような勾配が設けられている。係止アーム４８の前端縁をガイド溝２７の後端に適合させて前方へ押し込むと、まず係止アーム４８が外方へ撓まされて係止アーム４８の前端縁が仮係止突起２８の後端縁を摺動しつつ乗り越え、係止アーム４８が弾性復帰して切り欠き部４９と仮係止突起２８とが嵌まり合う。図８及び図９に示すように、切り欠き部４９の前端縁と仮係止突起２８の後端縁とが引っ掛かり、且つ係止アーム４８の前端縁が本係止突起２９の後端縁と軽く当接することでホルダ４５は仮係止位置に保持される。
【００３０】
この仮係止位置で、雄端子金具１０のキャビティ１８に対する挿抜が行われる。挿入時においては、雄端子金具１０を端子挿入孔５１に挿入すると、本体部１１が端子挿入孔５１にほぼ緊密に嵌入されることで、本体部１１が端子挿入孔５１の内面にガイドされ、雄端子金具１０の姿勢が矯正可能となっている。且つ、この仮係止位置では、ホルダ４５の基部４６が装着筒部２０の後面から後方へ突出した状態となっており、この突出量、つまりホルダ４５前面とゴム栓押さえ３６の後面との離間距離は、タブ部１２の先端がゴム栓３０の後面に到達する前に雄端子金具１０の姿勢が矯正されるように設定されている。したがって、雄端子金具１０の引き抜き時においても、挿入時と同様に雄端子金具１０の姿勢が矯正されるようになっている。
【００３１】
また、本係止突起２９の後端縁には、係止アーム４８の前端縁を当接させた状態においてホルダ４５を強く前方へ押せば、係止アーム４８が外方へ撓んで本係止突起２９を乗り越えさせることが出来るような勾配が設けられている。雄端子金具１０の挿入後にさらにホルダ４５を押し込むと、係止アーム４８の前端縁が本係止突起２９を乗り越え、図１２及び図１３のように、切り欠き部４９の前端縁と本係止突起２９の前端縁とが係止し、且つ補助部４７がこれに対応して切り欠かれた逃がし２７Ａに嵌り込んで、逃がし２７Ａの前端縁と当接し合うことでホルダ４５が本係止位置に保持される。この本係止位置では、ホルダ４５の後面が装着筒部２０の後面と面一となっている。
【００３２】
また、図１，図６，図７に示すように、各端子挿入孔５１の天井壁には、抜け止め片５２が、前端側が自由端となるように片持ち状に形成され上方へ撓み可能となっている。また、この抜け止め片５２の下面には、図１４に示すようにテーパ面５４Ａ，５４Ｂが前後方向（雄端子金具１０の挿入方向）に隣接して形成された突部５３が、雄端子金具１０の通過領域に突出して設けられており、ホルダ４５が本係止位置にある状態において雄端子金具１０を引き抜こうとした際に雄端子金具１０のバレル部１３の後端と係止可能となっている。
【００３３】
また、各抜け止め片５２の上方には、抜け止め片５２の上方への撓みを可能にする撓み空間５５が設けられている。この撓み空間５５は、幅方向に並列する抜け止め片５２の撓み空間をそれぞれ連続させるような長溝状に繋がって、且つ基部４６の全幅に亘って形成されている。この撓み空間５５は、上下方向に３段設けられ、中段と下段の撓み空間５５においては、端子挿入孔５１の各ブロック間に撓み空間５５よりも深い肉抜き５７がなされている。また、上段の撓み空間５５においては、基部４６の上端縁に沿って設けられ、且つ上方に向けても開口した状態となっている。
【００３４】
また、これらの撓み空間５５は、ゴム栓押さえ３６に設けられた規制部４１とそれぞれ対向しており、ホルダ４５が本係止位置に装着された状態において規制部４１が収容されるようになっている。したがって、ホルダ４５が本係止位置にあるときには、撓み空間５５に規制部４１が入りこむことで抜け止め片５２の撓み変形が規制可能となっている。この本係止位置で雄端子金具１０を後方へ引き抜くと、突部５３の前側のテーパ面５４Ａが雄端子金具１０のバレル部１３と当接し合うことで雄端子金具１０が抜け止めされ、ホルダ４５が仮係止位置にあるときに雄端子金具１０を引き抜く際には、バレル部１３とテーパ面５４Ａとが摺動し合うことで抜け止め片５２が撓み空間５４へ押しやられ自動的に係止を解除可能となっている。また、雄端子金具１０の挿入時においては、突部５３の後側のテーパ面５４Ｂと本体部１１とが摺動し合うことで雄端子金具１０の挿入が可能となっている。また、抜け止め片５２の上面前端縁にもテーパ面５６が形成されており、撓み空間５５への規制部４１の案内をしている。
【００３５】
次に、上記のように構成された実施形態の作用効果を説明する。組み付けに関しては、まず、雄ハウジング１５の装着筒部２０にゴム栓３０が挿入され、凸部２１に位置決め孔３３を嵌合させつつ装着筒部２０の奥面にゴム栓３０の前面が密着するまでゴム栓３０が嵌め込まれる。
【００３６】
次に、ゴム栓押さえ３６が、前止まり部４４を溝部２３に適合させて装着筒部２０内に押し込まれる。このとき、係止突部４２がスライド溝２６内を前方へ摺動して前端面を乗り越えると、係止面４３と係止受け部２５とが係止し合うと共に、前止まり部４４が受け部２４と当接するため、ゴム栓押さえ３６が装着筒部２０内に保持される。また、この状態では、ゴム栓押さえ３６がゴム栓３０の後面に密着しているため、ゴム栓３０の後方への移動が規制される。
【００３７】
その後、ホルダ４５が装着筒部２０内に挿入される。まず、図１１のように挿入ガイド５０がゴム栓押さえ３６、ゴム栓３０、端子収容部１７の各ガイド孔３８，３２，２２に順に差し込まれることでホルダ４５の雄ハウジング１５に対する位置決めがなされる。そして、係止アーム４８がガイド溝２７に差し込まれ、係止アーム４８が外方へ撓んで係止アーム４８の前端縁が仮係止突起２８を乗り越え、切り欠き部４９に仮係止突起２８が嵌まり込むと、図８から図１０に示すような基部４６が装着筒部２０の後方へ突出した仮係止位置にホルダ４５が保持される。
【００３８】
この状態で、雄端子金具１０が端子挿入孔５１からキャビティ１８に向けて挿入される。雄端子金具１０が端子挿入孔５１に挿入されると、図１０のように本体部１１の前端縁がテーパ面５４Ｂを摺動しつつ抜け止め片５２を撓み空間５５に押し撓ませて端子挿入孔５１を通過し、貫通孔３７Ａ，３７Ｂ、電線挿通孔３１の順に挿通され、雄端子金具１０がキャビティ１８に挿入されるとランス１９と係止することで抜け止め状態でキャビティ１８に収容される。雄端子金具１０が端子挿入孔５１を通過後には、抜け止め片５２は弾性復帰して突部５３が端子挿入孔５１内に突出した状態となる。また、この雄端子金具１０の挿入過程において、仮に雄端子金具１０が斜め姿勢で挿入されても、本体部１１が端子挿入孔５１嵌入されることにより、タブ部１２の先端がゴム栓３０の後面に到達する前に電線挿通孔３１と雄端子金具１０の軸芯が同軸となるようにその姿勢を矯正される。したがって、タブ部１２が円滑に電線挿通孔３１内に挿入され、ゴム栓３０の損傷を防止できる。また、ホルダ４５が仮係止位置にある状態では、Ｌ字型の切り欠き部４９と仮係止突起２８とが嵌まり合っていることで前記したようにホルダ４５の後面が雄端子金具１０の挿入方向に対して鉛直状態が保障されているため、雄端子金具１０の姿勢矯正に有効である。
【００３９】
雄端子金具１０の挿入作業が行われた後に、ホルダ４５が図１２から図１４に示す本係止位置に装着される。ホルダ４５を仮係止位置からさらに前方へ押し込むと、係止アーム４８の前端縁が本係止突起２９を乗り越え切り欠き部４９と本係止突起２９とが嵌まり合うことで本係止位置にホルダ４５が保持される。この状態では、ゴム栓押さえ３６の規制部４１がホルダ４５の撓み空間５５に挿入されることで、抜け止め片５２の撓み規制がなされる。
【００４０】
ところで、ホルダ４５が本係止位置にある状態において、雄端子金具１０の抜き取りが必要な場合（例えば、メンテナンス時など）がある。この場合においては、まずホルダ４５の本係止状態を治具などで解除してホルダ４５を仮係止位置へ移動させた後、雄端子金具１０とランス１９の係止を解除して雄端子金具１０を後方へ引きぬくと、バレル部１３の後端部分がテーパ面５４Ａを摺動することで抜け止め片５２を撓み空間５５に押し撓ませるため、端子挿入孔５１から抜くことができる。この際、挿入時と同様に端子挿入孔５１でもって雄端子金具１０の姿勢矯正が行われるため、タブ部１２がゴム栓３０を傷つけることが回避される。
【００４１】
仮に、ホルダ４５を仮係止位置に戻さず、本係止位置に保持した状態のまま雄端子金具１０を引き抜くことが可能な構造のものであった場合、雄端子金具１０はタブ部１２先端が電線挿通孔３１から抜けきらないうちに本体部１１が端子挿入孔５１から抜けてしまことで端子挿入孔５１によるガイドがなくなり、タブ部１２がゴム栓３０に突き当たる恐れがある。しかし、この実施形態では、雄端子金具１０を引き抜こうとしても、図１４のように撓み空間５５には規制部４１が入りこみ、抜け止め片５２の撓み変形が規制されているため、バレル部１３の後端部分が突部５３のテーパ面５４Ａに引っ掛かり引き抜くことができない。
【００４２】
したがって、ホルダ４５を仮係止位置に戻す作業を行わない限り雄端子金具１０を引き抜くことができないため、雄端子金具１０の抜き取り時にゴム栓３０を傷つけることが回避される。
【００４３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４４】
（１）上記した実施形態では、規制部４１をゴム栓押さえ３６に設けたが、ゴム栓など他の部材に設けても良い。
（２）上記した実施形態では、ホルダ４５をゴム栓押さえ３６の後面に密着するまで押しこんだ位置を本係止位置としたが、抜け止め片の撓み規制を規制可能な位置まで規制部が入り込んでさえいれば、密着する位置まで押し込まなくても良い。
【００４５】
（３）上記した実施形態では、抜け止め片５２の撓み空間５５を設けて、抜け止め片５２を撓み空間５５に撓ませる事で自動的に雄端子金具１０と抜け止め片５２の係止を解除するものを示したが、撓み空間を設けなくても良い。例えば、雄端子金具の引き抜き時の雄端子金具と抜け止め片との係止解除を、雄端子金具により抜け止め片を無理矢理撓み変形させて解除するものや、治具などで解除するようなものであっても良い。
【図面の簡単な説明】
【図１】本発明の実施形態における分解断面図
【図２】雄ハウジングの背面図
【図３】ゴム栓の背面図
【図４】ゴム栓押さえの背面図
【図５】その平面図
【図６】ホルダの平面図
【図７】ホルダの正面図
【図８】ホルダが仮係止位置に保持された状態を示す側面図
【図９】その一部切り欠き平面図
【図１０】その側断面図
【図１１】ホルダの挿入ガイドが挿入されている様子を示す側断面図
【図１２】ホルダが本係止位置に保持された状態を示す側面図
【図１３】その一部切り欠き平面図
【図１４】その側断面図
【図１５】従来例における側断面図
【符号の説明】
１０…雄端子金具
１１…本体部
１２…タブ部
１４…電線
１５…雄ハウジング（コネクタハウジング）
１８…キャビティ
３０…ゴム栓
３１…電線挿通孔
３６…ゴム栓押さえ
３７Ａ，３７Ｂ…貫通孔
４１…　規制部
４５…ホルダ
５１…　端子挿入孔
５２…抜け止め片
５５…撓み空間
【図１】
2004047331.tif 000003
【図２】
2004047331.tif 000004
【図３】
2004047331.tif 000005
【図４】
2004047331.tif 000006
【図５】
2004047331.tif 000007
【図６】
2004047331.tif 000008
【図７】
2004047331.tif 000009
【図８】
2004047331.tif 000010
【図９】
2004047331.tif 000011
【図１０】
2004047331.tif 000012
【図１１】
2004047331.tif 000013
【図１２】
2004047331.tif 000014
【図１３】
2004047331.tif 000015
【図１４】
2004047331.tif 000016
【図１５】
2004047331.tif 000017